(57)【要約】【課題】本発明は１〜５＊１０３Ｐａ・Ｓ／２５℃の高粘度を有する洗浄用助剤および洗浄剤で洗浄することによりインキのみならず印刷機ロール上の付着物を除去することが可能となる。【解決手段】  １〜５＊１０３Ｐａ・Ｓ／２５℃の粘度を有する印刷機ロール洗浄用助剤。また、１Ｐａ・Ｓ／２５℃未満の粘度を有する洗浄剤で洗浄する印刷機ロールの洗浄方法において併用する、上記印刷機ロール洗浄用助剤。  また、先に印刷機用ロールを１Ｐａ・Ｓ／２５℃未満の粘度を有する洗浄剤で洗浄後、上記印刷機用ロール洗浄用助剤を印刷機ロールに着けしばらく回転後さらに１Ｐａ・Ｓ／２５℃未満の粘度を有する洗浄剤で洗浄してなる印刷機用ロールの洗浄方法において使用する、上記印刷機ロール洗浄用助剤。【選択図】  なし【特許請求の範囲】
【請求項１】
１〜５＊１０３Ｐａ・Ｓ／２５℃の粘度を有する印刷機ロール洗浄用助剤。
【請求項２】
１Ｐａ・Ｓ／２５℃未満の粘度を有する洗浄剤で洗浄する印刷機ロールの洗浄方法において併用する、請求項１記載の印刷機ロール洗浄用助剤。
【請求項３】
先に印刷機用ロールを１Ｐａ・Ｓ／２５℃未満の粘度を有する洗浄剤で洗浄後、請求項１記載の印刷機用ロール洗浄用助剤を印刷機ロールに着けしばらく回転させ、さらに１Ｐａ・Ｓ／２５℃未満の粘度を有する洗浄剤で洗浄してなる印刷機用ロールの洗浄方法において使用する、請求項１記載の印刷機ロール洗浄用助剤。
【請求項４】
先に請求項１記載の洗浄用助剤を印刷機用ロールに着けしばらく回転後さらに１Ｐａ・Ｓ／２５℃未満の粘度を有する洗浄剤で洗浄してなる印刷機ロールの洗浄方法において使用する、請求項１記載の印刷機ロール洗浄用助剤。
【請求項５】
洗浄用助剤が植物油またはその変性物、インキ用溶剤、活性エネルギー線硬化性（メタ）アクリルモノマー、樹脂等の１種以上、さらに体質顔料、研磨剤、ゲル化剤の１種以上からなる請求項１〜４いずれか記載の印刷機用ロール洗浄用助剤。
【請求項６】
請求項２〜５いずれか記載の印刷機用ロールの洗浄方法。
【発明の詳細な説明】
【技術分野】
【０００１】
本発明は印刷機用ロールの洗浄方法 に関する。
【背景技術】
【０００２】
周知のように、印刷機では、停止時に洗浄剤によりインキ汚れを洗浄、除去する必要がある。しかし、印刷機洗浄時、インキ中のビヒクル分が洗浄剤により選択的先に洗い出され少量の顔料分がロール上に堆積、付着し洗浄剤で洗浄され難くなる。さらに印刷機用ゴムロールにおいては、紙粉、紙の添加剤である炭酸カルシウム等の付着物質等が問題となっており、これらの物質が堆積すると湿し水使用のオフセット印刷の場合ローラーが親水化され親油性のインキをはじいてしまう、いわゆる「ローラーハゲ現象」が発生し印刷に支障をきたす為、インキのみならずこれらの付着物質を同時に除去できる必要がある。さらに印刷の高級化に伴い、印刷ユニットの色変えが頻繁に発生し、よりインキロールの洗浄を十分にする必要が生じる。
【０００３】
ところで、従来の洗浄剤としては、ガソリン、ミネラルスピリット、灯油等の炭化水素油、ジクロルメタン、トリクロロエチレン等の塩素系溶剤が使用されていた。
【特許文献１】特開２００４−０１０７２５号公報
【特許文献２】特開平０８−２０２０４９号公報
【特許文献３】特開平０６−１７５３７３号公報
【発明の開示】
【発明が解決しようとする課題】
【０００４】
本発明は１〜５＊１０３Ｐａ・Ｓ／２５℃の高粘度を有する洗浄用助剤および洗浄剤で洗浄することによりインキのみならず印刷機ロール上の付着物を除去することが可能となる。
【課題を解決するための手段】
【０００５】
即ち本発明は、１〜５＊１０３Ｐａ・Ｓ／２５℃の粘度を有する印刷機ロール洗浄用助剤に関する。
また、本発明は、１Ｐａ・Ｓ／２５℃未満の粘度を有する洗浄剤で洗浄する印刷機ロールの洗浄方法において併用する上記印刷機ロール洗浄用助剤に関する。
また、本発明は、先に印刷機用ロールを１Ｐａ・Ｓ／２５℃未満の粘度を有する洗浄剤で洗浄後、請求項１記載の印刷機用ロール洗浄用助剤を印刷機ロールに着けしばらく回転後さらに１Ｐａ・Ｓ／２５℃未満の粘度を有する洗浄剤で洗浄してなる印刷機用ロールの洗浄方法において使用する上記印刷機ロール洗浄用助剤に関する。
【０００６】
さらに、本発明は、上記洗浄用助剤を印刷機用ロールに着けしばらく回転後さらに１Ｐａ・Ｓ／２５℃未満の粘度を有する洗浄剤で洗浄してなる印刷機ロールの洗浄方法において使用する上記印刷機ロール洗浄用助剤に関する。
さらに、本発明は、洗浄用助剤が植物油またはその変性物、インキ用溶剤、活性エネルギー線硬化性（メタ）アクリルモノマー、樹脂等の１種以上、さらに体質顔料、研磨剤、ゲル化剤の１種以上からなる上記印刷機用ロール洗浄用助剤に関する。
加えて、本発明は、上記印刷機用ロールの洗浄方法に関する。
【発明の効果】
【０００７】
本発明は高粘度を有する洗浄用助剤および洗浄剤で洗浄することによりインキのみならず印刷機ロール上の付着物を除去することが可能となる。
【発明を実施するための最良の形態】
【０００８】
本発明での洗浄用助剤の粘度は一般的洗浄剤より高粘度にし、ロール上の付着物を除去する為、１〜５＊１０３Ｐａ・Ｓ／２５℃、好ましくは１＊１０２〜１＊１０３Ｐａ・Ｓ／２５℃が望ましい。
【０００９】
洗浄法は印刷機用ロールを先に洗浄剤で洗浄後上記の印刷機用ロール洗浄用助剤を印刷機ロールに着けしばらく回転後さらに洗浄剤で洗浄してなる印刷機用ロールの洗浄方法、さらに先に洗浄用助剤を印刷機用ロールに着けしばらく回転後さらに洗浄剤で洗浄してなる印刷機ロールの洗浄方法が例示される。
【００１０】
さらに上記洗浄用助剤として植物油またはその変性物、インキ用溶剤、活性エネルギー線硬化性（メタ）アクリルモノマー、活性エネルギー線硬化性（メタ）アクリルオリゴマー、樹脂等の１種以上、さらに体質顔料、研磨剤、ゲル化剤の１種以上からなるものが挙げられる。
【００１１】
一般的に酸化重合性等の油性のインキの洗浄用助剤は、油性インキで使用する素材からなり、植物油、その脂肪酸エステルまたはその変性物、インキ用溶剤、油性用樹脂、樹脂等の１種以上、さらに体質顔料、研磨剤、ゲル化剤の１種以上からなる。活性エネルギー線硬化性インキは活性エネルギー線硬化性（メタ）アクリルモノマー、活性エネルギー線硬化性（メタ）アクリルオリゴマー、活性エネルギー線硬化性用樹脂または軟化点５０〜１８０℃樹脂等の１種以上、さらに体質顔料、研磨剤、ゲル化剤の１種以上からなる。さらに最近油性インキと活性エネルギー線硬化性インキの適性を併せ持つハイブリッドインキが台頭してきたが、ハイブリッドインキは両者の素材を使用した洗浄用助剤が望ましいが必ずしもこれにこだわる必要がない場合もあるので、適宣必要に応じ選択される。
【００１２】
本発明で使用される植物油、その脂肪酸エステルまたそれらの変性物について説明する。先ず植物油とは、グリセリンと脂肪酸とのトリグリセライドであり、その様な植物油として代表的な化合物は、アマニ油、キリ油、ゴマ油、サフラワー油、大豆油、ヒマシ油、綿実油、ヤシ油、脱水ヒマシ油などが挙げられる。
その他、本発明においては、天ぷら油などの食用に供された後、回収／再生された再生植物油も用いることができる。
【００１３】
次に、本発明における脂肪酸エステルとしては、植物油の加水分解で得られる飽和または不飽和脂肪酸と、飽和または不飽和アルコールとをエステル反応させてなる脂肪酸モノエステルを挙げることができるが、常温（２０〜２５℃）で液状で且つ常圧（１０１．３ｋＰａ）で沸点が２００℃以上の脂肪酸モノエステルが好ましく、その様な脂肪酸エステルの具体例としては、ラウリン酸ブチル、ラウリン酸イソアミル、ラウリン酸ヘキシル、ラウリン酸−２エチル−ヘキシルなどを挙げることができる。
【００１４】
不飽和脂肪酸エステルとしては、オレイン酸エチル、オレイン酸ブチル、オレイン酸アリル、オレイン酸イソアミル、オレイン酸ヘプチル、オレイン酸−２−エチルヘキシル、リノール酸エチル、リノール酸アリル、リノール酸プロピル、リノール酸イソプロピル、リノール酸ブチル、リノール酸イソブチル、リノレン酸エチル、リノレン酸ブチル、リノレン酸イソブチル、リノレン酸−ｔｅｒｔ−ブチル、などを例示することができる。
【００１５】
本発明における脂肪酸エステルを構成する飽和または不飽和脂肪酸は、実際上は、ヤシ油脂肪酸、パーム油脂肪酸、ナタネ油脂肪酸、大豆油脂肪酸、水添大豆油脂肪酸、アマニ油脂肪酸、桐油脂肪酸、トール油脂肪酸、脱水ヒマシ油脂肪酸、あるいはその分別蒸留などによる分別脂肪酸が使用され、前記した飽和または不飽和脂肪酸の混合物として得られる。
さらに近年環境対応型として大豆油またはその脂肪酸エステル（大豆油脂肪酸エチルエステル、大豆油脂肪酸ブチルエステル等の大豆油脂肪酸アルキルエステル等）が例示される。
【００１６】
本発明の印刷インキ溶剤は、例えば日本石油（株）製１号スピンドル油、３〜８号ソルベント、ナフテゾールＨ、アルケン５６ＮＴ、三菱化学（株）製ダイヤドール１３、ダイヤレン１６８、日産化学（株）製Ｆオキソコール、Ｆオキソコール１８０等が例示される。さらに芳香族成分を３％以下に減じた印刷インキ用溶剤とは同沸点範囲の石油系溶剤で芳香族系成分／ナフテン系成分／パラフィン系成分の重量比が０〜３／０〜１００／１００〜０の溶剤であり、時にはオレフィン系成分が含まれることもある溶剤である。具体的には、日本石油（株）製ＡＦソルベント４〜８、０号ソルベントＨ、ＩＳＵ（株）製Ｎ−パラフィンＣ１４−Ｃ１８、出光興産（株）のスーパーゾルＬＡ３５、ＬＡ３８等、エクソン化学（株）のエクソールＤ８０、Ｄ１１０、Ｄ１２０、Ｄ１３０、Ｄ１６０、Ｄ１００Ｋ、Ｄ１２０Ｋ、Ｄ１３０Ｋ等、マギーブラザーズ社製のマギーソル−４０、−４４、−４７、−５２、−６０等が例示される。アニリン点は６０から１１５℃が望まれる。もしアニリン点が１１５℃より高い溶剤を使用すれば、インキ組成中の使用樹脂との溶解力が不足して、インキの流動性が不十分であり、その結果被印刷体へのレベリングが乏しく光沢のない印刷物しか得られない。また、６０℃より低いアニリン点の溶剤を使用したインキは乾燥時のインキ被膜からの溶剤の脱離性が悪く乾燥劣化を起こしてしまう。さらに本発明において上記０号ソルベント、ＩＳＵ（株）製Ｎ−パラフィンＣ１４−Ｃ１８等のようなパラフィン系成分、ダイヤレン１６８のようなオレフィン系成分を含んだ溶剤が使用される場合もある。
【００１７】
油性インキ用樹脂としては、ロジン変性フェノール樹脂、石油樹脂、α、βエチレン性不飽和カルボン酸エステル変性石油樹脂、アルキッド樹脂、ロジンエステル樹脂（ロジン変性アルキッド樹脂、α、βエチレン性不飽和カルボン酸変性ロジンエステル樹脂）、ロジンおよび石油樹脂変性エステル樹脂、メラミン樹脂、テルペン樹脂、クマロンインデン樹脂、ケトン樹脂、フェノール変性石油樹脂ジアリルフタレート樹脂等が例示される。
【００１８】
主体的にはロジン変性フェノール樹脂が使用され、ロジン変性フェノール樹脂として、石炭酸、ハイドロキノン、カテコール、レゾルシン、ビスフェノールＡ、ビスフェノールＦ、（ターシャリ）ブチルフェノール、（ターシャリ）オクチルフェノール、ノニルフェノール、ドデシルフェノール、ヘキシルフェノールおよびこれらの混合物等のフェノール類とホルムアルデヒドを縮合反応させたレゾールまたはノボラックフェノール樹脂とロジン類（ガムロジン、ウッドロジン、トール油ロジン、水添ロジン、不均化ロジン、重合ロジン等）をクロマン化反応させ、さらにグリセリン、ペンタエリスリトール等のポリオールをあるいはｐ?トルエンスルフォン酸、メタンスルフォン酸、硫酸等の酸触媒を使用しエステル化反応させた重量平均分子量１〜１５万の樹脂で反応法は常法による。
【００１９】
さらに、該ワニスをゲル化剤を用いてゲルワニスとすることも可能である。ゲル化剤としては、通常アルミニウム錯体化合物を挙げる事が出来る。アルミニウムアルコラート類としてアルミニウムエチレート、アルミニウムイソプロピレート（川研ファインケミカル社製ＡＩＰＤ) 、アルミニウム−ｓｅｃ−ブチレート（川研ファインケミカル社製ＡＳＰＤ) 、アルミニウムイソプロピレート−モノ−ｓｅｃ−ブチレート（川研ファインケミカル社製ＡＭＤ) 、アルミニウム−トリス（アセチルアセトナート）（川研ファインケミカル社製ＡＬＣＨ−ＴＲ）、アルミニウム−トリス（アチルアセトアセテート）（川研ファインケミカル社製アルミキレート−Ａ） 、アルミニウム−ビス（エチルアセチルアセトナート）−モノアセチルアセトナート（川研ファインケミカル社製アルミキレートＤ） 、アルミキレートＭ（川研ファインケミカル社製）、、液状オリープＡＯＳ( ホープ製薬社製) が例示される。アルミニウム石鹸としてアルミニウムステアレート（日本油脂（株）製）、アルミニウムオレート、アルミニウムナフトネート、アルミニウムウレート、アルミニウムアセチルアセトネート、が例示される。これらのゲル化剤は、ワニス１００重量部に対し、０．１重量部から１０重量部の範囲で使用される。その他のゲル化剤として、化合物が例示される。さらにテトライソプロピルチタネート、テトラｎ−ブチルチタネート、テトレオクチルチタネート、チタンアセチルアセトネート、チタンオクチレングリコレート、チタンラクテート、チタンラクテートエチルエステル等の有機チタネート等が例示される。さらにジルコニウム−テトラブトキシド、ジルコニウムアセチルアセトン、ジルコニウムアセチルアセトン、ジルコニウムアセチルアセトン、アセチルアセトンジルコニウムブトキシド、アセト酢酸エチルジルコニウムブトキシド等の有機ジルコニム等が例示される。ゲルワニスの作成は、通常ゲル化剤を０．１〜３重量部を仕込み、１００〜２００℃の温度範囲で、３０分〜２時間反応させて得られる。
【００２０】
活性エネルギー線硬化性（メタ）アクルルモノマーとはラジカル重合性二重結合を有するモノマーであり、１官能モノマーとしてアルキル（カーボン数１〜１８）（メタ）アクリレート、例えばメチル（メタ）アクリレート、エチル（メタ）アクリレート、ブチル（メタ）アクリレート、ヘキシル（メタ）アクリレート、オクチル（メタ）アクリレート、ドデシル（メタ）アクリレート、ステアリル（メタ）アクリレートがあり、さらにベンジル（メタ）アクリレート、ブチルフェノール、オクチルフェノールまたはノニルフェノールまたはドデシルフェノールのようなアルキルフェノールアルキレンオキサイド付加物の（メタ）アクリレート、イソボルニル（メタ）アクリレート、シクロヘキシル（メタ）アクリレート、トリシクロデカンモノメチロール（メタ）アクリレート等が例示される。さらに２官能モノマーとしてエチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、ブチレングリコールジ（メタ）アクリレート、ペンチルグリコールジ（メタ）アクリレート、ネオペンチルグリコールジ（メタ）アクリレート、ヒドロキシピバリルヒドロキシピバレートジ（メタ）アクリレート（通称マンダ）、トリシクロデカンジメチロールジ（メタ）アクリレート、ビスフェノールＡテトラエチレンオキサイド付加体ジ（メタ）アクリレート、、ビスフェノールＦテトラエチレンオキサイド付加体ジ（メタ）アクリレート、ビスフェノールＦポリアルキレンオキサイド付加体ジ（メタ）アクリレート、水添加ビスフェノールＡテトラエチレンオキサイド付加体ジ（メタ）アクリレート、水添加ビスフェノールＦテトラエチレンオキサイド付加体ジ（メタ）アクリレート、水添加ビスフェノールＦポリアルキレンオキサイド付加体ジ（メタ）アクリレート、水添加ビスフェノーＡジ（メタ）アクリレート、水添加ビスフェノールＦジ（メタ）アクリレート、等が例示される。３官能モノマーとしてグリセリントリ（メタ）アクリレート、グリセリンアルキレンオキサイドトリ（メタ）アクリレート、トリメチロールプロパントリ（メタ）アクリレート、トリメチロールプロパンポリアルキレンオキサイドトリ（メタ）アクリレート、ペンタエリスリトールトリ（メタ）アクリレート等が例示される。４官能以上のモノマーとしてペンタエリスリトールテトラ（メタ）アクリレート、ペンタエリスリトールポリアルキレンオキサイドテトラ（メタ）アクリレート、ペンタエリスリトールテトラカプロラクトネートテトラ（メタ）アクリレート、ジグリセリンテトラ（メタ）アクリレート、トリ（メタ）アクリレート、ジグリセリンポリアルキレンオキサイドテトラ（メタ）アクリレート、ジトリメチロールプロパンテトラ（メタ）アクリレート、、ジペンタエリスリトールペンタ（メタ）アクリレート、ジペンタエリスリトールポリアルキレンオキサイドペンタ（メタ）アクリレート、ジペンタエリスリトールヘキサ（メタ）アクリレート、ジペンタエリスリトールヘキサカプロラクトネートヘキサ（メタ）アクリレート、等が例示される。
【００２１】
活性エネルギー線硬化性樹脂として（メタ）アクリルオリゴマーが例示されまたはジアリルフレート樹脂のような軟化点５０〜１８０℃の樹脂が例示される。
【００２２】
次に、本発明における酸化重合性洗浄用助剤の使用形態について説明する。一般的には、
ロジンフェノール樹脂  １〜５０重量％
植物油またはその脂肪酸エステル  ０〜７０重量％
（脂肪酸変性）アルキッド樹脂  ０〜７０重量％
油性印刷インキ用溶剤          ０〜７０重量％
ゲル化剤                      ０〜５重量％
であり、攪拌機四つ口フラスコに上記素材の１種以上を適宣仕込み１００〜２００℃で溶解させ粘度を１〜５＊１０３  Ｐa・Ｓ／２５℃に合わせ汲み出す。
さらに必要に応じ下記体質顔料を３本ロールで連肉し作製する。
体質顔料０〜４０重量％
【００２３】
活性エネルギー線硬化性洗浄用助剤
活性エネルギー線硬化性樹脂または軟化点５０〜１８０℃の樹脂  １０〜７０重量％
ラジカル重合性二重結合を有するモノマー １０〜７０重量％
ラジカル重合禁止剤 ０．０１〜１重量％
ラジカル重合性開始剤およびまたは増感剤 ０〜１５重量％
その他添加剤 ０〜１０重量％
からなる組成にて使用される。また、攪拌機四つ口フラスコに上記素材の１種以上を適宣仕込み８０〜１２０℃で溶解させ粘度を１〜５＊１０３  Ｐa・Ｓ／２５℃に合わせ汲み出す。
さらに必要に応じ下記体質顔料を３本ロールで連肉し作製する。
体質顔料０〜４０重量％
【００２４】
本発明の洗浄用助剤と併用して用いられる洗浄剤は、印刷機ロール等を洗浄する目的で従来より広く用いられているものであり、洗浄後蒸発するものである。本発明の洗浄剤の粘度としては、１Ｐａ・Ｓ／２５℃未満の粘度を有する洗浄剤であり、さらには０．００１〜０．９Ｐａ・Ｓ／２５℃が好ましい。
当該洗浄剤としては、ガソリン、ミネラルスピリット、ミネラルターペン、灯油等の炭化水素油、セロソルブアセテート、エチレングリコールモノエチルエーテル、ジエチレングリコールモノエチルエーテル、エチレングリコールモンブチルエーテル、ジエチレングリコールモノブチルエーテルジクロルメタン、グリコール系、アルコール系、エステル系、ケトン系、トリクロロエチレン等の塩素系等の溶剤が例示される。実施例ＦＤＴＲ洗剤Ｋについてもこれらを適宣配合したものである。
以下本発明について実施例、比較例について説明する。本発明は重量部で示す。
【００２５】
（実施例洗浄用助剤を作製する。）
実施例洗浄用助剤Ｖ1
攪拌機四つ口フラスコにタマノルＷ２７０１（荒川化学（株）製ロジンフェノール樹脂）５０部、ＡＦソルベント５号（新日本石油（株）製インキ用溶剤）５０部を仕込みを１８０℃で溶解させ粘度を３００ Ｐa・Ｓ／２５℃で汲み出す。（実施例洗浄用助剤Ｖ1）
以下同様の方法で作製した実施例洗浄用助剤Ｖ2〜Ｖ４処法を表１に示す。
【００２６】
攪拌機四つ口フラスコにダップトートＫＴ１７０（東都化成（株）製ジアリルフタレート樹脂）３５部、トリメチロールプロパントリアクリレート６４．９部、ハイドロキノ０．１部を仕込みを１００℃で溶解させ粘度を５００Ｐa・Ｓ／２５℃で汲み出した。（実施例洗浄用助剤Ｖ５）
【００２７】
【表１】
2005305893.tif 000002
【００２８】
インキ洗浄性：リスロン２６（小森印刷機械（株）製印刷機）で表２のごとく印刷洗浄評価した。
【００２９】
【表２】
2005305893.tif 000003